(57)【要約】【課題】パーティショニングを行ったデータベースに対してアクセスを行う環境において、パーティショニングの対象となった処理とは異なる処理についてもパーティショニングによる処理負荷の軽減および処理速度の向上を図る。【解決手段】クライアントノードから情報登録要求を受信した場合に、登録情報の特徴に基づいてデータベース上の記憶領域を決定し、当該記憶領域を特定する振り分け制御管理情報を伴って前記データベースに登録する工程と、前記情報登録要求に対する応答に含めて、前記振り分け制御管理情報を前記クライアントノードに送信する工程と、前記クライアントノードから情報更新要求を受信した場合に、当該情報更新要求に伴われた振り分け制御管理情報に基づいて前記データベースの記憶領域を特定し、登録情報を更新する工程とを備える。【選択図】図３
2010011157.tif 000002
【特許請求の範囲】
【請求項１】
クライアントノードから情報登録要求を受信した場合に、登録情報の特徴に基づいてデータベース上の記憶領域を決定し、当該記憶領域を特定する振り分け制御管理情報を伴って前記データベースに登録する工程と、
前記情報登録要求に対する応答に含めて、前記振り分け制御管理情報を前記クライアントノードに送信する工程と、
前記クライアントノードから情報更新要求を受信した場合に、当該情報更新要求に伴われた振り分け制御管理情報に基づいて前記データベースの記憶領域を特定し、登録情報を更新する工程と
を備えたことを特徴とするデータベースアクセス振り分け制御方法。
【請求項２】
前記登録情報の更新に際し、更新後の登録情報の特徴に基づいて前記データベース上の記憶領域を決定し、当該記憶領域を特定する新たな振り分け制御管理情報を伴って前記データベースに登録する工程と、
前記情報更新要求に対する応答に含めて、前記新たな振り分け制御管理情報を前記クライアントノードに送信する工程と
を更に備えたことを特徴とする請求項１に記載のデータベースアクセス振り分け制御方法。
【請求項３】
クライアントノードから情報登録要求を受信した場合に、登録情報の特徴に基づいてデータベース上の記憶領域を決定し、当該記憶領域を特定する振り分け制御管理情報を伴って前記データベースに登録する手段と、
前記情報登録要求に対する応答に含めて、前記振り分け制御管理情報を前記クライアントノードに送信する手段と、
前記クライアントノードから情報更新要求を受信した場合に、当該情報更新要求に伴われた振り分け制御管理情報に基づいて前記データベースの記憶領域を特定し、登録情報を更新する手段と
を備えたことを特徴とするサービス提供サーバ装置。
【請求項４】
前記登録情報の更新に際し、更新後の登録情報の特徴に基づいて前記データベース上の記憶領域を決定し、当該記憶領域を特定する新たな振り分け制御管理情報を伴って前記データベースに登録する手段と、
前記情報更新要求に対する応答に含めて、前記新たな振り分け制御管理情報を前記クライアントノードに送信する手段と
を更に備えたことを特徴とする請求項３に記載のサービス提供サーバ装置。
【請求項５】
サービス提供サーバ装置を構成するコンピュータを、
クライアントノードから情報登録要求を受信した場合に、登録情報の特徴に基づいてデータベース上の記憶領域を決定し、当該記憶領域を特定する振り分け制御管理情報を伴って前記データベースに登録する手段、
前記情報登録要求に対する応答に含めて、前記振り分け制御管理情報を前記クライアントノードに送信する手段、
前記クライアントノードから情報更新要求を受信した場合に、当該情報更新要求に伴われた振り分け制御管理情報に基づいて前記データベースの記憶領域を特定し、登録情報を更新する手段
として機能させるデータベースアクセス振り分け制御プログラム。
【請求項６】
前記コンピュータを、
前記登録情報の更新に際し、更新後の登録情報の特徴に基づいて前記データベース上の記憶領域を決定し、当該記憶領域を特定する新たな振り分け制御管理情報を伴って前記データベースに登録する手段、
前記情報更新要求に対する応答に含めて、前記新たな振り分け制御管理情報を前記クライアントノードに送信する手段
として更に機能させる請求項５に記載のデータベースアクセス振り分け制御プログラム。
【発明の詳細な説明】
【技術分野】
【０００１】
本発明は、プレゼンスサービスシステム等のクライアントノードに対してサービスを提供するシステムにおけるデータベースのアクセス制御技術に関する。
【背景技術】
【０００２】
プレゼンスサービスとは、ネットワーク上のユーザ（クライアント）の状態、例えば「オンライン」「離席中」「会議中」等を、リアルタイムで他のユーザ（クライアント）に通知するサービスである。一般的にＳＩＭＰＬＥ（SIP（Session Initiation Protocol） for Instant Messaging and Presence Leveraging Extensions）プロトコルが使用される。このようなプレゼンスサービスを提供するプレゼンスサービスシステムでは、データベースに対してユーザ毎のプレゼンス情報の登録・更新が行われるほか、データベース上の登録情報に対してエクスパイア（Expire）時刻に達したか否かのエクスパイア管理が定期的に行われる。
【０００３】
図１は従来のプレゼンスサービスシステムにおけるエクスパイア管理およびプレゼンス更新の概要を示す図である。例えば現在時刻「１０時１５分１２秒」にエクスパイア管理の処理を開始したとすると、データベース上の各登録情報のエクスパイア時刻と現在時刻を比較照合し、期限切れになった登録情報を特定する。また、エクスパイア管理の処理とは非同期に、プレゼンス情報の登録および更新が行われる。図ではユーザ「FFF@example.co.jp」に対してプレゼンス更新が行われた状態を示しており、データベース上の「ユーザ（ＳＩＰ−ＵＲＩ）」部分から「FFF@example.co.jp」に一致するものが特定され、その「プレゼンス情報」が更新される。
【０００４】
このような処理方式によると、エクスパイア管理の処理により周期的にデータベースの全件検索が発生してしまい、登録されているユーザが多数いた場合などは、大きな処理時間が必要となってしまうことが懸念される。また、プレゼンス更新の処理などのように、エクスパイア管理の処理とは別の処理によるデータベースへのアクセスが発生した際に、エクスパイア管理の処理との間にデータベースアクセスにおける競合が発生し、一方の処理において中断による待ち時間が発生してしまい、性能に影響を与える可能性がある。
【０００５】
一方、データベースの機能の１つにパーティショニングと呼ばれる手法がある（特許文献１等を参照。）。これは、データベース上の記憶領域を分割し、登録情報の特徴に応じて記憶領域を異ならせ、検索する範囲を限定することで処理の高速化を図るとともに、複数のプロセッサを用いたシステムにおいてデータベースへの処理を並列に実行することにより処理の高速化を図るものである。
【０００６】
図２はデータベースのパーティショニングを行った従来のプレゼンスサービスシステムにおけるエクスパイア管理およびプレゼンス更新の概要を示す図である。ここでは、登録情報の特徴として、エクスパイア管理に用いるエクスパイア時刻の「分」の部分に着目し、分の値を分割キー情報（振り分け制御管理情報）とするとともに、分の値ごとにデータベース上の異なる記憶領域であるテーブルＴ１〜Ｔ６、・・に情報を登録するようにしている。従って、例えば現在時刻「１０時１５分１２秒」にエクスパイア管理の処理を開始したとすると、現在時刻「１０時１５分１２秒」の分の部分「１５分」を分割キー情報として、同じ分割キー情報の値を持つデータベース上の記憶領域であるテーブルＴ１を特定し、その中での各登録情報のエクスパイア時刻と現在時刻を比較照合し、期限切れになった登録情報を特定する。図では分割キー情報「１５分」に対応するテーブルＴ１に２つの登録情報がある場合を示しているが、０〜５９分のいずれかに登録情報が分散されるため、ユーザ数が多くても検索対象となる登録情報が減少し、周期的な処理の集中ならびにプレゼンス更新の処理との競合が緩和される。
【特許文献１】特開平７−３１９９２３号公報
【発明の開示】
【発明が解決しようとする課題】
【０００７】
図２に示した処理方式では、エクスパイア管理による周期的な処理の集中ならびにプレゼンス更新の処理との競合が緩和されるものではあるが、プレゼンス更新の処理についてはパーティショニングの効果が発揮できないという問題があった。
【０００８】
すなわち、図２ではエクスパイア管理に用いるエクスパイア時刻の分の部分を分割キー情報としているため、エクスパイア管理の処理についてはパーティショニングの効果がある。しかし、パーティショニングによって分割されたデータベースに対して格納されたデータへ効果的にアクセスするには分割キー情報が必要となるところ、エクスパイア管理とは別のプレゼンス更新の処理では分割キー情報を知ることはできず、結果的に全ての分割された記憶領域にアクセスしなければならない。図２では、ユーザ「FFF@example.co.jp」に対してプレゼンス更新が行われた状態を示しているが、ユーザの情報から分割キー情報を知ることはできないため、データベース上の全ての分割された記憶領域にアクセスし、その中の登録情報の「ユーザ（ＳＩＰ−ＵＲＩ）」部分から「FFF@example.co.jp」に一致するものを特定した上で、その「プレゼンス情報」を更新しなければならない。そのため、パーティショニングによる効果は期待できない。
【０００９】
また、データベース上にパーティショニングの分割キー情報を管理するための管理テーブルを新たに作成することが考えられるが、その場合、プレゼンス更新によるデータベースアクセスは、
（１）管理テーブルによる更新したいデータの分割キー情報の検索
（２）取得した分割キー情報を基にした更新の実施
の２段階の処理となり、１ステップ処理が追加となる。
【００１０】
また、上記（１）の処理はすべてのユーザからプレゼンス更新が要求されるたびに行われるため、管理テーブルにアクセスが集中してしまい、データベースへのアクセス待ちとなる可能性も考えられる。
【００１１】
なお、プレゼンスサービスシステムにおけるエクスパイア管理およびプレゼンス更新の処理を例として説明したが、他のサービス提供システムにおいても、パーティショニングを行ったデータベースに対して異なる処理がアクセスを行う環境では同様に生じ得る問題である。
【００１２】
上記の従来の問題点に鑑み、パーティショニングを行ったデータベースに対してアクセスを行う環境において、パーティショニングの対象となった処理とは異なる処理についてもパーティショニングによる処理負荷の軽減および処理速度の向上を図ることを目的とする。
【課題を解決するための手段】
【００１３】
このデータベースアクセス振り分け制御方法の一実施態様では、クライアントノードから情報登録要求を受信した場合に、登録情報の特徴に基づいてデータベース上の記憶領域を決定し、当該記憶領域を特定する振り分け制御管理情報を伴って前記データベースに登録する工程と、前記情報登録要求に対する応答に含めて、前記振り分け制御管理情報を前記クライアントノードに送信する工程と、前記クライアントノードから情報更新要求を受信した場合に、当該情報更新要求に伴われた振り分け制御管理情報に基づいて前記データベースの記憶領域を特定し、登録情報を更新する工程とを備える。
【００１４】
好ましくは、前記登録情報の更新に際し、更新後の登録情報の特徴に基づいて前記データベース上の記憶領域を決定し、当該記憶領域を特定する新たな振り分け制御管理情報を伴って前記データベースに登録する工程と、前記情報更新要求に対する応答に含めて、前記新たな振り分け制御管理情報を前記クライアントノードに送信する工程とを更に備える。
【発明の効果】
【００１５】
開示のデータベースアクセス振り分け制御方法にあっては、クライアントノードからの情報登録要求への応答に含めて振り分け制御管理情報をクライアントノードに送信し、クライアントノードはその振り分け制御管理情報を用いて情報更新要求を行うことで、パーティショニングの対象となった処理とは異なる処理についてもパーティショニングによる処理負荷の軽減および処理速度の向上を図ることができる。
【発明を実施するための最良の形態】
【００１６】
以下、本発明の好適な実施形態につき説明する。
【００１７】
＜構成＞
図３は本発明の一実施形態にかかるプレゼンスサービスシステムの構成例を示す図である。
【００１８】
図３において、プレゼンスサービスシステムは、クライアントノード群１とアプリケーションサーバノード群２とデータベースノード３とを備えている。クライアントノード群１にはクライアントノード１１、１２、・・が含まれ、アプリケーションサーバノード群２にはアプリケーションサーバノード２１、２２、２３、・・が含まれ、データベースノード３にはデータベース管理システム３１とディスク（共有ディスク）３２とが含まれている。
【００１９】
プレゼンスサービスの提供にあたり、クライアントノード群１のクライアントノード１１、１２、・・とアプリケーションサーバノード群２のアプリケーションサーバノード２１、２２、２３、・・の間でＳＩＰ／ＳＩＭＰＬＥプロトコルに従った通信が行われ、アプリケーションサーバノード群２のアプリケーションサーバノード２１、２２、２３、・・はデータベースノード３のデータベース管理システム３１を介してディスク３２にアクセスを行う。
【００２０】
図４は本発明の一実施形態にかかるプレゼンスサービスシステムの他の構成例を示す図であり、アプリケーションサーバノード群２において、アプリケーションサーバノード２１、２２、２３、・・の前段に負荷を分散するためのロードバランサ２０が設けられている。この場合、クライアントノード群１のクライアントノード１１、１２、・・は、いったんアプリケーションサーバノード群２のロードバランサ２０にアクセスし、ロードバランサ２０から負荷状態に応じてアプリケーションサーバノード２１、２２、２３、・・に処理が分散される。
【００２１】
図５は図３および図４におけるアプリケーションサーバノード群２のアプリケーションサーバノード２１、２２、２３、・・の構成例を示す図である。図５において、アプリケーションサーバノード２１、２２、２３、・・は、クライアントノード側からの信号を受信する信号受信部２０１と、受信信号を解析する受信信号解析部２０２と、受信信号の解析結果に応じてデータベースノード３にアクセスを行うデータベースアクセス部２０３と、データベースノード３へのアクセス結果に基づいて応答信号を生成する応答信号生成部２０４と、生成された応答信号をクライアントノード側に送信する信号送信部２０５とを備えている。
【００２２】
＜動作＞
図６は上記の実施形態の処理例を示す図であり、図７はその際のクライアントノード１１、アプリケーションサーバノード２２、２３間の処理を示すシーケンス図である。
【００２３】
図６および図７において、先ず、クライアントノード１１から任意のアプリケーションサーバノード２２へ情報登録要求信号「PUBLISH（Initial）要求」を送信する（ステップＳ１）。図８（ａ）はクライアントノード１１からアプリケーションサーバノード２２へ送信される情報登録要求信号「PUBLISH（Initial）要求」の例を示している。
【００２４】
アプリケーションサーバノード２２では、クライアントノード１１からの情報登録要求信号「PUBLISH（Initial）要求」を信号受信部２０１が受信し、受信信号解析部２０２は受信信号を解析して情報登録要求であることを認識する。そして、受信信号解析部２０２はエクスパイア時刻を計算し、データベースアクセス部２０３からデータベースノード３のデータベース管理システム３１を介して、パーティショニングされたディスク３２内にあるテーブルＴ２の記憶領域にデータを格納する（ステップＳ２）。すなわち、エクスパイア管理に用いるエクスパイア時刻の「分」の部分に着目し、分の値を分割キー情報（振り分け制御管理情報）とするとともに、分の値に対応するデータベース上のテーブルＴ２に情報を登録する。
【００２５】
次いで、アプリケーションサーバノード２２の応答信号生成部２０４は情報登録要求に対する応答信号のSIP-ETagヘッダにテーブルＴ２を特定するパーティショニングの分割キー情報を含め、応答信号「PUBLISH（Initial）応答」として、信号送信部２０５によりクライアントノード１１へ返送する（ステップＳ３）。SIP-ETagヘッダは、ＳＩＰ／ＳＩＭＰＬＥプロトコルで規定された、サーバ側が任意に設定できるヘッダ情報である。図８（ｂ）はアプリケーションサーバノード２２からクライアントノード１１へ返送される応答信号「PUBLISH（Initial）応答」の例を示している。
【００２６】
次いで、クライアントノード１１がプレゼンス状態を変更しようとする場合は、情報更新要求信号「PUBLISH（Modify）要求」を送信する際に、先に応答信号「PUBLISH（Initial）応答」を受信した際のSIP-ETagヘッダの情報をSIP-If-Matchヘッダに載せ変えて、任意のアプリケーションサーバノード２３へ送信する（ステップＳ４）。SIP-If-Matchヘッダは、ＳＩＰ／ＳＩＭＰＬＥプロトコルで規定された、更新対象のプレゼンス情報を特定するためのヘッダ情報である。図８（ｃ）はクライアントノード１１からアプリケーションサーバノード２３へ送信される情報更新要求信号「PUBLISH（Modify）要求」の例を示している。
【００２７】
アプリケーションサーバノード２３では、クライアントノード１１からの情報更新要求信号「PUBLISH（Modify）要求」を信号受信部２０１が受信し、受信信号解析部２０２は受信信号を解析して情報更新要求であることを認識する。そして、受信信号解析部２０２はSIP-If-Matchヘッダを解析し、分割キー情報を取り出し、データベースアクセス部２０３からデータベースノード３のデータベース管理システム３１を介して、対応するテーブルＴ２の中で該当するユーザのプレゼンス変更を行う（ステップＳ５）。分割キー情報により該当するテーブルが容易に特定でき、その中での更新処理となるため、高速に処理を行うことができる。
【００２８】
次いで、アプリケーションサーバノード２３の受信信号解析部２０２はエクスパイア時刻を再計算し、データベースアクセス部２０３からデータベースノード３のデータベース管理システム３１を介して、パーティショニングされたディスク３２内にあるテーブルＴ３の記憶領域にデータを格納する（ステップＳ６）。
【００２９】
次いで、アプリケーションサーバノード２３の応答信号生成部２０４は情報更新要求に対する応答信号のSIP-ETagヘッダにテーブルＴ３を特定するパーティショニングの分割キー情報を含め、応答信号「PUBLISH（Modify）応答」として、クライアントノード１１へ返送する（ステップＳ７）。図８（ｄ）はアプリケーションサーバノード２３からクライアントノード１１へ返送される応答信号「PUBLISH（Modify）応答」の例を示している。
【００３０】
上記の処理（ステップＳ１〜Ｓ７）と並行して、エクスパイア管理によりエクスパイア時刻に達したかどうかを判定する処理が周期的に動作し、例えば現在時刻の分に対応するテーブルに対して処理が行われるが、検索対象となるデータ数は少ないため、競合などによる待ち時間も短縮化される。
【００３１】
＜総括＞
このように、本実施形態では、プレゼンスサービスシステムにおいて使用されるデータベースのアクセスに関し、データベースのパーティショニングを行う際の分割キー情報をＳＩＰ／ＳＩＭＰＬＥプロトコルで規定されるSIP-ETagヘッダ、SIP-If-Matchヘッダに格納させることで、パーティショニングを行ったデータの参照や更新などの処理をより早く行うことができる。
【００３２】
すなわち、ある特定の処理に対して効果的なパーティショニングがされているデータベースに対して、プレゼンス更新のような別の処理を行う場合に、全テーブル検索が必要になるといった遅延が発生する事象を回避することができる。これにより、ユーザが各パーティションに均一に登録されていると仮定すると、パーティショニングされた数の分だけ、検索対象の数が減ることによる処理速度向上が見込める。
【００３３】
また、データベース上に、パーティショニングの分割キー情報を管理する管理テーブルを新たに作成する手法と比較しても、管理テーブルから分割キー情報を取得するための処理を省略できるため、ＳＱＬ文実行数の削減やデータベースアクセスの集中によるアクセス待ち時間の削減により、処理時間の削減が見込める。
【００３４】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
（付記１）
クライアントノードから情報登録要求を受信した場合に、登録情報の特徴に基づいてデータベース上の記憶領域を決定し、当該記憶領域を特定する振り分け制御管理情報を伴って前記データベースに登録する工程と、
前記情報登録要求に対する応答に含めて、前記振り分け制御管理情報を前記クライアントノードに送信する工程と、
前記クライアントノードから情報更新要求を受信した場合に、当該情報更新要求に伴われた振り分け制御管理情報に基づいて前記データベースの記憶領域を特定し、登録情報を更新する工程と
を備えたことを特徴とするデータベースアクセス振り分け制御方法。
（付記２）
前記登録情報の更新に際し、更新後の登録情報の特徴に基づいて前記データベース上の記憶領域を決定し、当該記憶領域を特定する新たな振り分け制御管理情報を伴って前記データベースに登録する工程と、
前記情報更新要求に対する応答に含めて、前記新たな振り分け制御管理情報を前記クライアントノードに送信する工程と
を更に備えたことを特徴とする付記１に記載のデータベースアクセス振り分け制御方法。
（付記３）
前記情報登録要求に対する応答における前記振り分け制御管理情報は、サーバ側が任意に設定できるヘッダ情報に含めて送信する
ことを特徴とする付記１または２のいずれか一項に記載のデータベースアクセス振り分け制御方法。
（付記４）
クライアントノードから情報登録要求を受信した場合に、登録情報の特徴に基づいてデータベース上の記憶領域を決定し、当該記憶領域を特定する振り分け制御管理情報を伴って前記データベースに登録する手段と、
前記情報登録要求に対する応答に含めて、前記振り分け制御管理情報を前記クライアントノードに送信する手段と、
前記クライアントノードから情報更新要求を受信した場合に、当該情報更新要求に伴われた振り分け制御管理情報に基づいて前記データベースの記憶領域を特定し、登録情報を更新する手段と
を備えたことを特徴とするサービス提供サーバ装置。
（付記５）
前記登録情報の更新に際し、更新後の登録情報の特徴に基づいて前記データベース上の記憶領域を決定し、当該記憶領域を特定する新たな振り分け制御管理情報を伴って前記データベースに登録する手段と、
前記情報更新要求に対する応答に含めて、前記新たな振り分け制御管理情報を前記クライアントノードに送信する手段と
を更に備えたことを特徴とする付記４に記載のサービス提供サーバ装置。
（付記６）
前記情報登録要求に対する応答における前記振り分け制御管理情報は、サーバ側が任意に設定できるヘッダ情報に含めて送信する
ことを特徴とする付記４または５のいずれか一項に記載のサービス提供サーバ装置。
（付記７）
サービス提供サーバ装置を構成するコンピュータを、
クライアントノードから情報登録要求を受信した場合に、登録情報の特徴に基づいてデータベース上の記憶領域を決定し、当該記憶領域を特定する振り分け制御管理情報を伴って前記データベースに登録する手段、
前記情報登録要求に対する応答に含めて、前記振り分け制御管理情報を前記クライアントノードに送信する手段、
前記クライアントノードから情報更新要求を受信した場合に、当該情報更新要求に伴われた振り分け制御管理情報に基づいて前記データベースの記憶領域を特定し、登録情報を更新する手段
として機能させるデータベースアクセス振り分け制御プログラム。
（付記８）
前記コンピュータを、
前記登録情報の更新に際し、更新後の登録情報の特徴に基づいて前記データベース上の記憶領域を決定し、当該記憶領域を特定する新たな振り分け制御管理情報を伴って前記データベースに登録する手段、
前記情報更新要求に対する応答に含めて、前記新たな振り分け制御管理情報を前記クライアントノードに送信する手段
として更に機能させる付記７に記載のデータベースアクセス振り分け制御プログラム。
（付記９）
前記情報登録要求に対する応答における前記振り分け制御管理情報は、サーバ側が任意に設定できるヘッダ情報に含めて送信する
付記７または８のいずれか一項に記載のデータベースアクセス振り分け制御プログラム。
【図面の簡単な説明】
【００３５】
【図１】従来のプレゼンスサービスシステムにおけるエクスパイア管理およびプレゼンス更新の概要を示す図である。
【図２】データベースのパーティショニングを行った従来のプレゼンスサービスシステムにおけるエクスパイア管理およびプレゼンス更新の概要を示す図である。
【図３】本発明の一実施形態にかかるプレゼンスサービスシステムの構成例を示す図（その１）である。
【図４】本発明の一実施形態にかかるプレゼンスサービスシステムの構成例を示す図（その２）である。
【図５】アプリケーションサーバノードの構成例を示す図である。
【図６】実施形態の処理例を示す図である。
【図７】実施形態の処理例を示すシーケンス図である。
【図８】クライアントノードとアプリケーションサーバノードの間で送受信される信号の例を示す図である。
【符号の説明】
【００３６】
１              クライアントノード群
１１、１２      クライアントノード
２              アプリケーションサーバノード群
２０            ロードバランサ
２１〜２３      アプリケーションサーバノード
２０１          信号受信部
２０２          受信信号解析部
２０３          データベースアクセス部
２０４          応答信号生成部
２０５          信号送信部
３              データベースノード
３１            データベース管理システム
３２            ディスク
Ｔ１〜Ｔ６      テーブル
【図１】
2010011157.tif 000003
【図２】
2010011157.tif 000004
【図３】
2010011157.tif 000005
【図４】
2010011157.tif 000006
【図５】
2010011157.tif 000007
【図６】
2010011157.tif 000008
【図７】
2010011157.tif 000009
【図８】
2010011157.tif 000010